(57)【要約】【課題】１本の共用操作棒と共に１つの先端具を準備するだけで、種別に拘わらずカットアウトのヒューズ筒の交換作業を容易に行なうことのできる先端構造を提供すること。【解決手段】操作棒の先端に着脱可能に取り付けられて、円筒型や箱型のカットアウト内に装着されているヒューズ筒の交換作業を行う際に使用する先端具１０であって、円筒型用ヒューズ筒の端部を保持する円筒型作業部２０、および、箱型カットアウトの蓋部材の引っ掛け穴内に差し込む引っ掛け棒２２と共に、その蓋部材側に装着されている箱型用ヒューズ筒の接続刃を保持する保持溝２４を有する箱型作業部２１の双方を両端側に備える作業部材１１と、この作業部材を支持しつつ円筒型作業部または箱型作業部のいずれか一方で作業可能に操作棒の先端側に回転させて入れ替える入替機構と、を備える。【選択図】図２
2012160412.tif 000002
【特許請求の範囲】
【請求項１】
操作棒の先端に一体的に、あるいは着脱可能に取り付けられて、カットアウト内に装着されているヒューズ筒の交換作業を行う際に使用する先端構造であって、
円筒型カットアウトの下端部の開口内に差し込んで内部に装着されている交換対象の円筒型用ヒューズ筒の一端部を連結する連結部を有する円筒型作業部、および、箱型カットアウトの一面側を開閉する蓋部材に準備されている引っ掛け穴内に差し込む引っ掛け棒と共に、前記箱型カットアウトの蓋部材側に装着されている交換対象の箱型用ヒューズ筒の接続刃を保持する保持部を有する箱型作業部の双方を一体に形成されている作業部材と、
該作業部材を支持しつつ前記円筒型作業部または前記箱型作業部のいずれか一方を前記操作棒の先端側で作業可能に入れ替える入替機構と、を備えることを特徴とするカットアウト用操作棒先端構造。
【請求項２】
箱型用棒の角度可変
前記引っ掛け棒は、前記箱型作業部から外方に突出する角度を調整する調整機構を備えることを特徴とする請求項１に記載のカットアウト用操作棒先端構造。
【発明の詳細な説明】
【技術分野】
【０００１】
本発明は、カットアウト用操作棒先端構造に関し、詳しくは、カットアウトのヒューズ筒の交換作業を容易に行えるようにしたものに関する。
【背景技術】
【０００２】
電柱などの高所には、商用電源から各家庭の負荷装置に電力供給するために、変圧器が設置されているとともに、負荷装置側に異常電流が流れ込まないように、ヒューズを内蔵するカットアウトが介在するように設置されている。
【０００３】
この種のカットアウトとしては、全体を概略円筒型に形成されているものがあり、円筒型の底側を閉止蓋で開閉するようになっている（例えば、特許文献１）。この円筒型カットアウトは、閉止蓋を外して開口させている底側からヒューズ筒を差し込むことにより、両端側の導通部に本体側の接続部が導通接触する構造になっており、ヒューズ筒は、導通部の間に設定容量の電流で溶断するヒューズ本体（溶断部）が介在するように組み立てられている。
【０００４】
また、カットアウトには、全体を概略箱型に形成されているものがあり、箱型の一面側を回動蓋で開閉するようになっている（例えば、特許文献２）。この箱形カットアウトは、回動蓋で本体側開口を閉じると同時に、その回動蓋に取り付けられているヒューズ筒の一対の接続刃を本体側の接続部に導通接触させる構造になっており、ヒューズ筒は、接続刃の間に設定容量の電流で溶断するヒューズ本体が介在するように組み立てられている。
【０００５】
このカットアウトは、円筒型と箱型とでヒューズ筒を交換する際に開閉する蓋部材の形状が異なるとともにその開閉に用いる道具も別個に準備されており、また、そのヒューズ筒自体も円筒型と箱型とで外形形状が異なっていて、それぞれに適した道具が準備されている。
【０００６】
例えば、円筒型のカットアウトでは、絶縁操作棒の先端に取り付けた共用のフック（先端具）で紐を引っ張ることにより蓋部材を外した後に、ヒューズ筒の下部を差し込んで保持することのできる円筒形状の専用先端具を同様に絶縁操作棒の先端に取り付けて作業をするようになっている。
【０００７】
一方、箱型のカットアウトでは、絶縁操作棒の先端に取り付けた専用の先端具を蓋部材の差込穴内に差し込んで牽引することによりその蓋部材を開放状態にした後に、ヒューズ筒の接続刃をその専用先端具の差込口に差し込んで保持するようにして作業するようになっている。
【０００８】
このようにカットアウトの種別に応じた各種道具を準備して作業するのでは、面倒であるとともに、道具の管理や選択が煩雑であることから、できるだけ先端具を共通化する工夫がなされており、特許文献３で提案されている。
【先行技術文献】
【特許文献】
【０００９】
【特許文献１】特開平１０−２６９９２６号公報
【特許文献２】実開昭６１−１８３０５０号公報
【特許文献３】実公平  ６−  ４３９９８号公報
【発明の概要】
【発明が解決しようとする課題】
【００１０】
しかしながら、この特許文献３に記載の先端具にあっては、円筒型のカットアウトに適するように設計した先端具の先端に、さらに箱型のカットアウトに適するように設計した別部品の先端具を連結する構造であることから、専用の先端具を準備・管理しなければならないことに変わりはなく、より作業性を向上させる余地がある。
【００１１】
そこで、本発明は、１本の専用操作棒あるいは共用の操作棒と共に１つの先端具を準備するだけで、種別に拘わらずカットアウトのヒューズ筒の交換作業を容易に行なうことのできる先端構造を提供することを目的としている。
【課題を解決するための手段】
【００１２】
上記課題を解決するカットアウト用操作棒先端構造の発明の一態様は、操作棒の先端に一体的に、あるいは着脱可能に取り付けられて、カットアウト内に装着されているヒューズ筒の交換作業を行う際に使用する先端構造であって、円筒型カットアウトの下端部の開口内に差し込んで内部に装着されている交換対象の円筒型用ヒューズ筒の一端部を連結する連結部を有する円筒型作業部、および、箱型カットアウトの一面側を開閉する蓋部材に準備されている引っ掛け穴内に差し込む引っ掛け棒と共に、前記箱型カットアウトの蓋部材側に装着されている交換対象の箱型用ヒューズ筒の接続刃を保持する保持部を有する箱型作業部の双方を一体に形成されている作業部材と、該作業部材を支持しつつ前記円筒型作業部または前記箱型作業部のいずれか一方を前記操作棒の先端側で作業可能に入れ替える入替機構と、を備えることを特徴とするものである。
【００１３】
この発明の態様では、操作棒の先端に、カットアウトの円筒型用ヒューズ筒を保持する円筒型作業部や、箱型カットアウトを開閉する引っ掛け棒とその箱型用ヒューズ筒を保持する箱型作業部を備える作業部材を備えて、使用する際に、その円筒型作業部または箱型作業部の一方を選択して入替機構により作業可能に入れ替えることができるので、カットアウトの種別に応じて先端具を着脱する作業を省略することができ、それぞれの先端具を準備・管理する作業をも省略することができる。
【発明の効果】
【００１４】
このように本発明の一態様によれば、操作棒の先端の作業部材における円筒型作業部と引っ掛け棒を備える箱型作業部を、使用する際に入れ替えるだけで作業することができ、先端具の着脱作業や準備・管理作業を省略して作業負担を軽減することができる。
【図面の簡単な説明】
【００１５】
【図１】本発明に係るカットアウト用操作棒先端構造の一実施形態を適用した先端具の一例を示す図であり、その全体構成を示す正面図である。
【図２】その要部構造を示す図であり、（ａ）はその側面図、（ｂ）はその一部拡大背面図である。
【図３】その先端具を取り付ける操作棒の一例を示す平面図である。
【図４】その作業対象の円筒型カットアウトの全体構成を示す一部断面平面図である。
【図５】その円筒型カットアウト用のヒューズ筒の構成を示す斜視図である。
【図６】その箱型のカットアウトの全体構成を示す一部断面平面図である。
【図７】その箱型カットアウト用のヒューズ筒の構成を示す図であり、（ａ）はその平面図、（ｂ）はその側面図である。
【図８】その使用方法の応用を説明する図である。
【図９】その他の態様を示す分割正面図である。
【発明を実施するための形態】
【００１６】
本発明の実施形態としては、上記の課題解決手段のように、操作棒の先端に一体的に、あるいは着脱可能に取り付けられて、カットアウト内に装着されているヒューズ筒の交換作業を行う際に使用する先端構造であって、円筒型カットアウトの下端部の開口内に差し込んで内部に装着されている交換対象の円筒型用ヒューズ筒の一端部を連結する連結部を有する円筒型作業部、および、箱型カットアウトの一面側を開閉する蓋部材に準備されている引っ掛け穴内に差し込む引っ掛け棒と共に、前記箱型カットアウトの蓋部材側に装着されている交換対象の箱型用ヒューズ筒の接続刃を保持する保持部を有する箱型作業部の双方を一体に形成されている作業部材と、該作業部材を支持しつつ前記円筒型作業部または前記箱型作業部のいずれか一方を前記操作棒の先端側で作業可能に入れ替える入替機構と、を備えることを基本構成とするのに加えて、次の構成を備えてもよい。
【００１７】
第１の他の態様としては、前記引っ掛け棒は、前記箱型作業部から外方に突出する角度を調整する調整機構を備えていてもよい。
【００１８】
この態様では、箱型カットアウトの蓋部材を開閉する際に使用する引っ掛け棒の角度を調整して、例えば、円筒型カットアウトの蓋部材を連結する紐を引っ張る作業や、その蓋部材を円筒型カットアウトに装着する作業を容易に行なうことができる。したがって、必要な作業道具を少なくすることができ、より作業負担を軽減することができる。
【００１９】
以下、図面を参照して、本発明の実施形態について詳細に説明する。図１〜図８は本発明に係るカットアウト用操作棒先端構造の一実施形態を適用した先端具の一例を示す図である。
【００２０】
図１において、カットアウト用操作棒先端具１０は、図３に示す絶縁操作棒３００の先端に連結して、図４に示す円筒型カットアウト１００に取り付けるヒューズ筒１０１と、図６に示す箱型カットアウト２００に取り付けるヒューズ筒２０１と、のいずれの交換作業を行なう際にも共通使用することができるように設計されている。
【００２１】
ここで、円筒型カットアウト１００は、図４に示すように、本体部１１０が底部１１１の開口する概略円筒形状に形成されているとともに、その本体部１１０の底部１１１の開口に閉止蓋１１２を着脱して開閉するようになっている。また、円筒型カットアウト１００は、本体部１１０の底部１１１の閉止蓋１１２を紐１１２ａで吊下可能に連結している。これにより、円筒型カットアウト１００は、その閉止蓋１１２を外す際には、紐１１２ａに後述する絶縁操作棒３００の先端に取り付けた不図示のフックなどを引っ掛けて引っ張ることにより円筒型用ヒューズ筒１０１を交換可能に本体部１１０の底部１１１の開口を開放することができ、その閉止蓋１１２の円筒形状部１１２ｂをその円筒型用ヒューズ筒１０１を差込保持させる道具に保持させて本体部１１０の底部１１１の開口に押し付けることにより取り付けるようになっている（図８参照）。
【００２２】
この円筒型カットアウト１００は、本体部１１０側に、商用電源側から分岐させた電線Ｄ１を接続する電源接続部１１３と、負荷装置側の変圧器からの電線Ｄ２を接続する負荷接続部１１４とが配設されており、閉止蓋１１２を外した底部１１１の開口内にヒューズ筒１０１を差し込むことにより、そのヒューズ筒１０１の先端側に取り付けた導通キャップ１０６を電線Ｄ１側の電源接続部１１３の差込導通端子１１３ａに嵌め込んで導通接続させるのと同時に、ヒューズ筒１０１の後端側の導通肩部１０７を電線Ｄ２側の負荷接続部１１４の圧接導通端子１１４ａに圧接させて導通接続させるようになっている。これにより、円筒型カットアウト１００は、ヒューズ筒１０１を介して電線Ｄ１側の電源接続部１１３と電線Ｄ２側の負荷接続部１１４とを導通させることができる。
【００２３】
また、円筒型用ヒューズ筒１０１は、図５に示すように、不図示の内蔵ヒューズを内蔵する本体部１０２が絶縁材料により作製されており、その本体部１０２が内蔵ヒューズを内部に差し込み可能に両端側の開口する円筒形状に形成されている。この円筒型用ヒューズ筒１０１は、本体部１０２の先端側に導通キャップ１０６が配設されて円筒型カットアウト１００の電線Ｄ１側の電源接続部１１３に内蔵ヒューズを導通接続させる一方、本体部１０２の下端部１０１ａに導通肩部１０７が配設されて円筒型カットアウト１００の電線Ｄ２側の負荷接続部１１４に導通接続させるようになっている。
【００２４】
また、円筒型用ヒューズ筒１０１は、本体部１０２の下端部１０１ａには金属製の導通円筒部材１０３が外装されて固設されており、その導通円筒部材１０３の一端側がより大径に形成されて張り出すことにより導通肩部１０７として機能するように形成されている。この導通円筒部材１０３には、導通状態を維持しつつ螺合させている金属製の締付ネジ１０４が螺合されており、この締付ネジ１０４に内蔵ヒューズのリード線Ｗを巻き付けて導通円筒部材１０３に締め付けることによりその溶断部の他端側を導通肩部１０７円筒型カットアウト１００の電線Ｄ２側の電源接続部１１４に導通接続させるようになっている。
【００２５】
一方、箱型カットアウト２００は、図６に示すように、本体部２１０が一面側の開口する概略箱形状に形成されているとともに、その本体部２１０の一面側開口に対して、一端側の回動軸２１０ａを中心に回動蓋（蓋部材）２１２を回動させて接離させることにより開閉するようになっている。この回動蓋２１２は、表側外面の他端側に形成されているリブ形状部２１２ｂを貫通する引っ掛け孔２１２ａに絶縁操作棒３００の先端に取り付けた不図示のフックなどを引っ掛けて、引っ張ったり押し上げたりすることにより、本体部２１０の開放面から離隔・接近させるように回動させて開閉することができる。
【００２６】
この箱型カットアウト２００は、円筒型カットアウト１００と同様に、商用電源側の電線Ｄ１を接続する電源接続部２１３と、負荷装置側の電線Ｄ２を接続する負荷接続部２１４と、が配設されており、回動蓋２１２には、本体部２１０側の接続部２１３、２１４に挟み込ませて導通接続する接続刃２０６、２０７を備えるヒューズ筒２０１が取り付けられている。これにより、箱型カットアウト２００は、ヒューズ筒２０１を介して電線Ｄ１側の電源接続部２１３と電線Ｄ２側の負荷接続部２１４とを導通させることができる。
【００２７】
この箱型用ヒューズ筒２０１は、円筒型用ヒューズ筒１０１と同様に、図７に示すように、不図示の内蔵ヒューズを収納する本体部２０２が絶縁材料により作製されており、その本体部２０２が内蔵ヒューズを内部に差し込み可能に両端側の開口する円筒形状に形成されている。この箱型用ヒューズ筒２０１は、本体部２０２の一端側に接続刃２０６の基端部２０６ａが固設されて箱型カットアウト２００の電線Ｄ１側の電源接続部２１３に内蔵ヒューズを導通接続させる一方、本体部２０２の他端側に接続刃２０７の基端部２０７ａが固設されて箱型カットアウト２００の電線Ｄ２側の負荷接続部２１４に導通接続させるようになっている。
【００２８】
また、箱型用ヒューズ筒２０１は、接続刃２０６の基端部２０６ａの端面に内蔵ヒューズの端部が位置する状態で圧接キャップ２０３をその基端部２０６ａの不図示のネジ部に螺合させて挟持圧接することで、内蔵ヒューズの溶断部の一端側に接続刃２０６（円筒型カットアウト１００の電線Ｄ１側の電源接続部１１３）を導通接続させるようになっている。
【００２９】
また、箱型用ヒューズ筒２０１は、本体部２０２の中間部に固設されている接続刃２０７の基端部２０７ａから他端側（接続刃２０６の反対側）に延長部２０７ｂが延長・形成されているとともに、その延長部２０７ｂの端部には、導通状態を維持しつつ螺合させている金属製の締付ネジ２０４が螺合されており、この締付ネジ２０４に内蔵ヒューズのリード線Ｗを巻き付けて延長部２０７ｂに締め付けることにより溶断部の他端側を接続刃２０７（箱型カットアウト２００の電線Ｄ２側の電源接続部２１４）に導通接続させるようになっている。
【００３０】
そして、カットアウト用操作棒先端具１０は、図１に戻って、概略円筒形状に形成されている作業部材１１を支持部材１２が先端側で回転自在に支持しており、この支持部材１２は、絶縁操作棒３００先端に着脱可能にするジョイント部１７を下端側に配設されている。
【００３１】
支持部材１２は、作業部材１１の直径方向の両側を軸方向に沿うように延在する支持板１２ａの先端部に、その作業部材１１の中央付近を貫通する回動軸１３の両端部が相対回動不能に固設されており、その回動軸１３の中央部には、図２にも図示するように、円盤形状の外周縁に突起形状を係合可能な鋸歯形状の係合歯１４ａが形成されている係合円盤１４が同軸に固設されている。これに対して、作業部材１１には、その係合円盤１４の外周縁に向かう方向にスプリング１５により付勢されている係合棒１６が設けられている。この係合棒１６は、先端側に作業部材１１内に位置する円錐形状の突起部１６ａが形成されているとともに、反対側には作業部材１１外に位置して摘んで引くことのできるツマミ部１６ｂが形成されており、そのツマミ部１６ｂを摘んで引かない限り突起部１６ａが係合円盤１４の係合歯１４ａとの係合を解除して作業部材１１が自由に回動してしまわない程度の付勢力に設定されているスプリング１５により付勢されている。
【００３２】
これにより、作業部材１１は、係合棒１６のツマミ部１６ｂを放した状態では先端側の突起部１６ａが係合円盤１４の係合歯１４ａに係合することにより支持部材１２に対する相対的な回動角に位置決め保持することができる一方、その係合棒１６のツマミ部１６ｂをスプリング１５の付勢力に抗して引いて、先端側の突起部１６ａが係合円盤１４の係合歯１４ａとの係合を解除されることにより、支持部材１２の延在方向に対して回動軸１３を中心にして所望の角度に回動させることができる。例えば、カットアウト用操作棒先端具１０は、作業部材１１の両端部のいずれか一方を支持部材１２よりも先端側に突出して露出する状態に維持することができる。すなわち、回動軸１３、係合円盤１４、スプリング１５および係合棒１６が後述する円筒型作業部または箱型作業部のいずれか一方を絶縁操作棒３００の先端側で作業可能に入れ替える入替機構を構成している。
【００３３】
この作業部材１１は、円筒型カットアウト１００用のヒューズ筒１０１をその円筒型カットアウト１００に着脱可能に保持する円筒型作業部２０と、箱型カットアウト２００用のヒューズ筒２０１をその箱型カットアウト２００に着脱可能に保持する箱型作業部２１とが、両端部にそれぞれ配設されており、この円筒型作業部２０または箱型作業部２１のいずれか一方を作業可能に露出する先端側に位置決め保持されるようになっている。
【００３４】
円筒型作業部２０は、円筒型カットアウト１００の本体部１１０内に着脱するヒューズ筒１０１の下端部１０１ａを差込可能に概略円筒形状に形成されており、その下端部１０１ａを差し込んだ状態にして一方向に相対回転させることにより、導通円筒部材１０３の外面に形成されている突起１０１ｂに、不図示のフランジ形状部（連結部）を係合させて脱落不能に保持する一方、反対に他方向に相対回転させることによりその突起１０１ｂとの係合を解除して引き抜いて回収することができるようになっている。これにより、円筒型作業部２０は、遠隔位置の作業対象に対して絶縁性を確保しつつ作業する間接活線作業用の絶縁操作棒３００の先端具として、円筒型用ヒューズ筒１０１を円筒型カットアウト１００の本体部１１０内に差し込んで取り付けることができる一方、その円筒型用ヒューズ筒１０１を本体部１１０内から引き抜いて回収することができる。
【００３５】
箱型作業部２１は、箱型カットアウト２００の回動蓋２１２の引っ掛け孔２１２ａに汎用の上記フックと同様に差し込んで引っ掛けた状態にして牽引・押上などの作業を可能にする引っ掛け棒２２と、この引っ掛け棒２２の背面側に配設されて箱型カットアウト２００の回動蓋２１２に取り付ける箱型用ヒューズ筒２０１の接続刃２０６、２０７を差し込んで保持することによりその回動蓋２１２への着脱を可能にする保持溝（保持部、差込口）２４と、を備えている。これにより、箱型作業部２１は、円筒型作業部２０と同様に、絶縁操作棒３００用の先端具として、引っ掛け棒２２により箱型カットアウト２００の回動蓋２１２の開閉作業を実現するとともに保持溝２４により箱型用ヒューズ筒２０１をその回動蓋２１２に着脱することができる。
【００３６】
具体的には、引っ掛け棒２２は、球状の先端部２２ａを有する棒状に形成されており、その基端部２２ｂ側を中心にして箱型作業部２１の外面側に開口する収容溝２１ａ内に収容する状態のまま作業部材１１の延在方向に回動自在に取り付けられている。この引っ掛け棒２２は、その基端部２２ｂに不図示の軸受けに軸支されている回動軸２２ｃが固設されており、作業部材１１と同様に、この回動軸２２ｃの中央部には係合歯２３ａを有する係合円盤２３が固設されている。これに対して、箱型作業部２１側にも、スプリング２７により付勢されている係合棒２５が設置されており、この係合棒２５は、箱型作業部２１内の先端側の突起部２５ａおよび箱型作業部２１外の後端側のツマミ部２５ｂを備えている。
【００３７】
これにより、箱型作業部２１は、係合棒２５のツマミ部２５ｂを放した状態では、先端側の突起部２５ａが係合円盤２３の係合歯２３ａに係合することにより引っ掛け棒２２をその箱型作業部２１に対する相対的な回動角に位置決め保持することができる一方、係合棒２５のツマミ部２５ｂをスプリング２７の付勢力に抗して引いて、先端側の突起部２５ａが係合円盤２３の係合歯２３ａとの係合を解除されることにより、引っ掛け棒２２を収容溝２１ａ内から引き出して作業部材１１の延在方向に対して所望の角度になるように回動軸２２ｃを中心にして回動させることができる。例えば、引っ掛け棒２２は、図２に示すように、直角に突出するフック位置Ａや、斜め方向に延在するレバー位置Ｂに位置する状態を維持することができる。すなわち、回動軸２２ｃ、係合円盤２３、スプリング２７および係合棒２５が引っ掛け棒２２の外方に突出する角度を調整する調整機構を構成している。
【００３８】
また、この箱型作業部２１は、引っ掛け棒２２をフック位置Ａやレバー位置Ｂなどまで回動させることにより、箱型用ヒューズ筒２０１の接続刃２０６、２０７を深く差し込むことができるように保持溝２４の背面側を開放することができ、箱型カットアウト２００の回動蓋２１２に着脱する箱型用ヒューズ筒２０１を脱落しないように保持させることができる。
【００３９】
一方、ジョイント部１７は、図３に示す汎用の絶縁操作棒３００の先端部３０５を差し込んで収装可能に基端側後端面を開口させた有底の円筒形状に形成されている本体筒部１８と、この本体筒部１８の周面部の互いの反対側に位置して概略Ｔ字形状に切り欠かれている一対のＴ字切欠部１９と、により構成されている。ここで、Ｔ字切欠部１９は、詳細には、本体筒部１８の後端面側から先端側に向う差込溝部１９ａと、この差込溝部１９ａに連続してその直交方向の両側に延在する回転溝部１９ｂと、この回転溝部１９ｂの両端部から本体筒部１８の後端面側に戻る係合溝部１９ｃと、を備えるＴ字形状に切欠・形成されている。
【００４０】
これにより、カットアウト用操作棒先端具１０（支持部材１２）のジョイント部１７は、絶縁操作棒３００の先端部３０５のピン３０６を、本体筒部１８のＴ字切欠部１９の差込溝部１９ａ内に差し込みつつ、その先端部３０５を本体筒部１８内の奥まで差し込んだ後に、互いに相対回転させることにより、そのＴ字切欠部１９の回転溝部１９ｂの端部に突き当たるまで進入させることができる。このとき、絶縁操作棒３００の先端部３０５は、ジョイント部１７の本体筒部１８の底面に突き当たって突起３０７が沈んだ状態で相対回転した後に、その本体筒部１８内に差し込む力が解放されると、その突起３０７が内蔵スプリングの弾性力により突出して本体筒部１８を押し返すことになり、そのＴ字切欠部１９の回転溝部１９ｂから係合溝部１９ｃ内に先端部３０５のピン３０６が進入して相対回転不能にして離脱不能に係合させることができる。また、この絶縁操作棒３００は、先端部３０５に隣接するグリップ３０８を回転させてジョイント部１７側に寄せることにより、ピン３０６が係合溝部１９ｃ内から離脱して回転しないようにロックすることができ、カットアウト用操作棒先端具１０のジョイント部１７が相対回転して絶縁操作棒３００の先端側から外れてしまうことを信頼性高く防止することができる。なお、絶縁操作棒３００は、例えば、プラスチックなどの絶縁材料を中空の円筒形状に成形することにより絶縁性が確保されて、両端部間の中間部分に傘カバー３１３、３１４が取り付けられており、先端側の傘カバー３１３が先端側からの水分を滴下させるとともに、基端側（手元側）の傘カバー３１４が先端側からの絶縁性を考慮しての安全に作業を行い得る限界位置を示して、作業する際の安全を確保している。
【００４１】
したがって、カットアウト用操作棒先端具１０は、絶縁操作棒３００の先端に取り付けて、交換するヒューズ筒１０１、２０１の円筒型用か箱型用かに応じて作業部材１１を回転させるだけで、円筒型作業部２０または箱型作業部２１を先端側に位置させてその交換作業を行なうことができる。
【００４２】
例えば、箱型カットアウト２００のヒューズ筒２０１の交換作業を行なう際には、箱型作業部２１を先端側に位置させて引っ掛け棒２２をフック位置Ａまで回動させることにより箱型カットアウト２００の回動蓋２１２の開閉作業を行なうことができるとともに、その回動蓋２１２のヒューズ筒２０１の接続刃２０６、２０７の一方を保持溝２４に差し込んで保持することにより着脱して交換することができる。よって、このカットアウト用操作棒先端具１０を取り付けた絶縁操作棒３００の１本を準備するだけで、箱型カットアウト２００のヒューズ筒２０１の交換作業を完了することができる。
【００４３】
また、円筒型カットアウト１００のヒューズ筒１０１の交換作業を行なう際には、箱型作業部２１を先端側に位置させて引っ掛け棒２２をフック位置Ａまで回動させることにより汎用のフックに交換することなく、閉止蓋１１２を吊り下げる紐１１２ａにその引っ掛け棒２２を引っ掛けて引っ張ることにより本体部１１０の底部１１１の開口を開放することができる。この後には、作業部材１１を回転させて円筒型作業部２０を先端側に位置させることにより、その円筒型カットアウト１００の本体部１１０の底部１１１の開口内に円筒型作業部２０を差し込んでヒューズ筒１０１を着脱して交換することができる。また、再度、箱型作業部２１を先端側に位置させて引っ掛け棒２２をレバー位置Ｂまで回動させることにより、図８（ａ）〜図８（ｄ）に示すように、専用の先端具に交換することなく、紐１１２ａで吊り下げられている閉止蓋１１２の円筒形状部１１２ｂ内にその引っ掛け棒２２の球状の先端部２２ａを差し込んで安定した姿勢で保持することができる。このため、図８（ｅ）に示すように、従来の箱型カットアウト２００専用の引っ掛け棒２２´のように絶縁操作棒３００（作業部材１１）側に対して直角となる姿勢のままで作業が実質的に不可能な状態になることなく、その引っ掛け棒２２は、レバー位置Ｂまで回動させることにより、図８に示すように、その閉止蓋１１２の円筒形状部１１２ｂ内にその先端部２２ａを差し込んでからひっくり返した状態にして、円筒型カットアウト１００の本体部１１０の底部１１１の開口に押し付けて閉止することができる。よって、このカットアウト用操作棒先端具１０を取り付けた絶縁操作棒３００の１本を準備するだけで、円筒型カットアウト１００のヒューズ筒１０１の交換作業を完了することができる。
【００４４】
このように本実施形態においては、絶縁操作棒３００の先端にカットアウト用操作棒先端具１０を取り付けるだけで、使用する際に円筒型作業部２０と箱型作業部２１を入れ替えるだけで作業することができ、先端具の着脱作業や準備・管理作業を省略して作業負担を軽減することができる。
【００４５】
ここで、本実施形態の他の態様としては、作業部材１１を回転させるのではなく、円筒型作業部２０の後端部と箱型作業部２１の先端部の間に、ボール４１を凹部４２に嵌め込む着脱構造を設けることにより、箱型作業部２１の先端側に円筒型作業部２０を着脱可能にしてもよく、この場合にも、箱型作業部２１の引っ掛け棒２２を回動させて利用することができる。しかしながら、円筒型作業部２０の準備・管理作業が必要になることから、本発明の一形態である上述実施形態の構造を採用するのが好適である。
【産業上の利用可能性】
【００４６】
これまで本発明の一実施形態について説明したが、本発明は上述の実施形態に限定されず、その技術的思想の範囲内において種々異なる形態にて実施されてよいことは言うまでもない。
【符号の説明】
【００４７】
１０……カットアウト用操作棒先端具      １１……作業部材      １２……支持部材      １３、２２ｃ……回動軸      １４、２３……係合円盤      １４ａ、２３ａ……係合歯
１５……スプリング      １６、２５……係合棒      １６ａ、２５ａ……突起部      １６ｂ、２５ｂ……ツマミ部      １７……ジョイント部      １８……本体筒部      １９……Ｔ字切欠部      ２０……円筒型作業部      ２１……箱型作業部      ２２……引っ掛け棒      ２２ａ……先端部      ２２ｂ……基端部      ２４……保持溝
２７……スプリング      ４１……ボール      ４２……凹部      １００……円筒型カットアウト      １０１……円筒型用ヒューズ筒      １０１ａ……下端部      １０１ｂ……突起      １１０……本体部      １１１……底部      １１２……閉止蓋      １１２ａ……紐      １１２ｂ……円筒形状部      ２００……箱型カットアウト      ２０１……箱型用ヒューズ筒      ２０６、２０７……接続刃      ２１０……本体部      ２１０ａ……回動軸      ２１２……回動蓋      ２１２ａ……引っ掛け孔      ２１２ｂ……リブ形状部      ３００……絶縁操作棒      ３０５……先端部      Ａ……フック位置      Ｂ……レバー位置
【図１】
2012160412.tif 000003
【図２】
2012160412.tif 000004
【図３】
2012160412.tif 000005
【図４】
2012160412.tif 000006
【図５】
2012160412.tif 000007
【図６】
2012160412.tif 000008
【図７】
2012160412.tif 000009
【図８】
2012160412.tif 000010
【図９】
2012160412.tif 000011